(57)【要約】【課題】  常夜灯として使用しながら防犯灯としての機能を発揮でき、しかも異常の報知性に優れた照明器具を簡易にして提供する。【解決手段】  光源３と、所定エリア内での侵入者を検知する人体検知センサ７と、異常報知手段３、２１、２２と、前記光源３の点灯状態で前記人体検知センサ７が侵入者を検知した際の検知信号を受けて前記異常報知手段３、２１、２２を異常報知動作させる制御手段１０とを備える。【選択図】  図２
2006113752.tif 000002
【特許請求の範囲】
【請求項１】
光源と、
所定エリア内での侵入者を検知する人体検知センサと、
異常報知手段と、
前記光源の少なくとも点灯状態において、前記人体検知センサが侵入者を検知した際の検知信号を受けて前記異常報知手段を異常報知動作させる制御手段と、
を備えていることを特徴とする照明器具。
【請求項２】
前記異常検知手段として、前記照明器具の光源／発音体／異常信号発信部の少なくとも一つが選択・使用されており、
前記異常報知動作は、前記光源の点滅動作であり、発音体の発音動作であり、異常信号発信部の異常信号送信動作である請求項１に記載の照明器具。
【請求項３】
光源と、
所定エリア内での侵入者を検知する人体検知センサと、
所定エリア内を撮影可能なＣＣＤ素子と、
前記ＣＣＤ素子による画像データを記録可能な画像メモリと、
前記光源の少なくとも点灯状態において、前記人体検知センサが侵入者を検知した際の検知信号に基づいて、前記ＣＣＤ素子による画像データの画像メモリへの記録を開始させる制御手段と、
を備えていることを特徴とする照明器具。
【請求項４】
前記人体検知センサ及び／または前記異常報知手段を動作させない「通常モード」と、前記人体検知センサ及び前記異常報知手段を動作させる「防犯モード」とを選択可能な切替手段が装備されている請求項１〜３のいずれかに記載の照明器具。
【請求項５】
前記人体検知センサは赤外線センサである請求項１〜４のいずれかに記載の照明器具。
【発明の詳細な説明】
【技術分野】
【０００１】
この発明は、玄関灯やガーデンライト、さらには、廊下などに設置されるナイトライトなどに適用される照明器具に関する。
【背景技術】
【０００２】
従来の照明器具として、所定エリア内に侵入した侵入者を検知出する赤外線センサを設け、この赤外線センサが侵入者の存在を検知した際の検知信号を受けて、常時は消灯状態のランプを点灯させるようにして、防犯灯として使用するようにしたものがある（例えば特許文献１）。
【特許文献１】特開２００３−１３２７０４号公報
【発明の開示】
【発明が解決しようとする課題】
【０００３】
しかし、上記従来のものは、防犯用として常時は消灯状態のランプを赤外線センサの検知動作に伴って点灯させる構成であるから、玄関灯のような常夜灯として使うことができない。また、赤外線センサが検知動作した時に、前記ランプが消灯状態から点灯に変わるのみであるから、異常の報知性に劣るという問題がある。
【０００４】
なお、赤外線センサの検知動作に伴ってブザーなどの異常報知する機器を照明器具とは別に設置することも考えられるが、その場合は報知機器の設置などの施工に手間がかかるうえ、費用が嵩んでしまう。
【０００５】
この発明は、上記実情に鑑みてなされたものであり、常夜灯として使用しながら防犯灯としても機能を発揮でき、しかも異常の報知性に優れた照明器具を簡易にして提供することを課題としている。
【課題を解決するための手段】
【０００６】
上記課題は、以下の手段によって解決される。
（１）光源と、所定エリア内での侵入者を検知する人体検知センサと、異常報知手段と、前記光源の少なくとも点灯状態において、前記人体検知センサが侵入者を検知した際の検知信号を受けて前記異常報知手段を異常報知動作させる制御手段と、を備えていることを特徴とする照明器具。
（２）前記異常検知手段として、前記照明器具の光源／発音体／異常信号発信部の少なくとも一つが選択・使用されており、前記異常報知動作は、前記光源の点滅動作であり、発音体の発音動作であり、異常信号発信部の異常信号送信動作である前項１に記載の照明器具。
（３）光源と、所定エリア内での侵入者を検知する人体検知センサと、所定エリア内を撮影可能なＣＣＤ素子と、前記ＣＣＤ素子による画像データを記録可能な画像メモリと、前記光源の少なくとも点灯状態において、前記人体検知センサが侵入者を検知した際の検知信号に基づいて、前記ＣＣＤ素子による画像データの画像メモリへの記録を開始させる制御手段と、を備えていることを特徴とする照明器具。
（４）前記人体検知センサ及び／または前記異常報知手段を動作させない「通常モード」と、前記人体検知センサ及び前記異常報知手段を動作させる「防犯モード」とを選択可能な切替手段が装備されている前項１〜３のいずれかに記載の照明器具。
（５）前記人体検知センサは赤外線センサである前項１〜４のいずれかに記載の照明器具。
【発明の効果】
【０００７】
前項（１）に記載の発明によれば、光源が少なくとも点灯している状態で、所定エリア内に侵入者があると、人体検知センサが検知して検知信号を送出し、この検知信号を受けた制御手段が異常報知手段に対して異常報知動作を行わせるので、通常灯火仕様でありながら防犯用の機能が発揮される。
【０００８】
また、検知信号によって特別に設けた異常報知手段を動作させるから、単に光源が消灯状態から点灯に変化するものに比べて異常の報知性が高くなる。
【０００９】
さらに、前記人体検知センサ、異常報知手段および制御手段を備えているから、別途に異常報知機器を設置しなくても、既存のソケット等を利用してそのまま所定場所に取り付けるのみの簡単な作業にして防犯用および通常灯火用の両機能を発揮させることができる。
【００１０】
さらには、人体検知センサ、異常報知手段、制御手段は、いずれも照明器具内に内蔵されているから、侵入者にこの照明器具が防犯機能を有していることを悟られることが無く、防犯用として極めて有効なものとなる。
【００１１】
前項（２）に記載の発明によれば、前記異常報知動作として光源の点滅動作では、単なる点灯に比べて異常報知性に優れ、また、前記異常報知動作として発音体の発音動作では、聴覚的に異常を知ることができ、さらに、前記異常報知動作として異常信号発信部の異常報知信号送信動作であれば、この異常報知信号で室内などの離れた場所での報知機器を作動させることが可能となる。
【００１２】
前項（３）に記載の発明によれば、前記人体検知センサが侵入者の存在を検知すると、制御手段がＣＣＤ素子による撮影画像データの画像メモリへの記録を開始させるので、この画像メモリを外し、該画像メモリに記録された画像データを再生させれば、異常状況を再生映像から確認できる。
【００１３】
前項（４）に記載の発明によれば、「通常モード」と「防犯モード」とを切り替えることができ、「通常モード」では、従来の常夜灯と全く同様に使用することができる。
【００１４】
前項（５）に記載の発明によれば、赤外線センサにより侵入者を比較的簡単にかつ的確に検知可能となる。
【発明を実施するための最良の形態】
【００１５】
以下、この発明の一実施形態を図面に基づいて説明する。
【００１６】
図１は、この発明の一実施形態に係る照明器具を示す一部破断側面図である。
【００１７】
図１において、照明器具は、玄関など設置面に設けられた既存の照明器具用ソケット（図示せず）に器具本体１が装着されて使用される。なお、照明器具用ソケットに装着するのではなく、廊下等のコンセントに差し込むタイプのナイトライト等に適用しても良いことは勿論である。
【００１８】
前記器具本体１は、口金１Ａに接続されたスカート状のハウジング部２と、このハウジング部２内に固定された配線基板５と、ハウジング部２の先端に接続されたフード部４とにより構成されている。
【００１９】
前記口金１Ａは、一方の電極部を構成する雄ねじ状部１ａと、この雄ねじ状部１ａの基端側に黒ガラス製の絶縁部１ｂを介して設けられた他方の電極部１ｃとからなり、前記雄ねじ状部１ａが前記ソケットに螺着されるようになっている。
【００２０】
前記配線基板５には、光源３、外光照度を検出する外光センサ６、人体検知センサ７、後述する制御部などを構成する回路素子８の他に、ＣＣＤ素子９、後述する電子ブザーおよび異常報知信号発信部などが装着されており、さらには、撮影した画像データを記憶する画像メモリ１４が着脱可能に装着されている。勿論、前記電子ブザーなどは、配線基板５に限らず、器具本体１の任意の個所に配置可能である。
【００２１】
前記光源３としては、例えば複数のＬＥＤが使用されている。勿論、光源３として、蛍光管、電球、なつめ球などであってもよいが、ＬＥＤを使うと電力消費が比較的少なく経済的である。
【００２２】
前記外光センサ６は、昼間のような外光照度が大きい状況では、ＯＦＦ状態であり、夕方以降のように外光照度が小さい状況では、ＯＮ信号を送出するようになっている。
【００２３】
前記人体検知センサ７は、例えば赤外線センサであり、所定エリア内での侵入者を検知して検知信号を送出する。なお、侵入者などの人体検知センサとしては、静電容量変化を利用したセンサの使用も可能であるが、この例のように、赤外線センサ７を使用すれば、比較的簡単な構成で侵入者の的確な検出が可能である。
【００２４】
前記ＣＣＤ素子３は、撮影レンズを有しており、設置場所の周辺の一定エリア内を撮影して画像信号を出力する。
【００２５】
前記画像メモリ１４は、前記ＣＣＤ素子９からの画像データを要すれば画像処理したのち、読み出し可能に記録するものである。
【００２６】
図２は、前記照明器具の電気的構成を示すブロック図である。
【００２７】
図２において、照明器具は、前記外光センサ６、赤外線センサ７、ＣＣＤ素子９および受信部５０の他に、制御部１０および異常報知部２０、電源回路６０を備えている。
【００２８】
前記受信部５０は、リモートコントロール用送信機（リモコンという）５１から「通常モード」と「防犯モード」とを選択操作した際の選択操作信号を受信するものであり、前記リモコン５１および制御部１０と共にモード切替手段５２を構成している。なお、このモード切替手段５２は、前記リモコン５１を使用せずに、器具本体１側に設けたスイッチなどを使用する構成であってもよい。
【００２９】
前記異常報知部２０は、異常報知手段として前記ＬＥＤ３、信号発信部２１、発音体としてのスピーカもしくはこの例のような電子ブサー２２とを備えている。
【００３０】
前記信号発信部２１は、赤外線センサ７が侵入者の存在を検知してＯＮした際に、異常報知信号を生成して、離れた場所、例えば室内側に送信するものである。
【００３１】
前記制御部１０は、ＭＣＵ（Memory Control Unit)１１と、ＬＥＤ駆動回路１２、ブザー駆動回路１３、さらには画像メモリ１４などを備えており、前記受信部５０が選択操作信号を受信した際に、それに応じて、赤外線センサ７及び／または異常報知手段としての前記ＬＥＤ３、信号発信部２１、電子ブサー２２を機能させない「通常モード」か、赤外線センサ７及び異常報知手段としての前記ＬＥＤ３、信号発信部２１、電子ブサー２２を機能させる「防犯モード」かに設定する機能をもっている。
【００３２】
前記ＭＣＵ１１は、通常モードにおいては、前記受信部５０からの信号を受けて、赤外線センサ７による検知動作及び／または前記異常報知手段による異常報知動作を停止させ、前記外光センサ６のＯＮ／ＯＦＦに応じてＬＥＤ駆動回路１２を介してＬＥＤ３を点灯制御する。また、防犯モードにおいては、赤外線センサ７による検知動作を開始し、検知信号に応じて前記ＬＥＤ３、信号発信部２１、電子ブザー２２の報知動作を制御する。つまり、前記ＬＥＤ３が点灯している状態において、前記赤外線センサ７による検知信号を受けた際には、前記ＬＥＤ駆動回路１２を介してＬＥＤ３を異常報知動作、例えば点滅動作させ、ブザー駆動回路１３を介して発音体である電子ブザー２２を異常報知動作として発音させ、さらには、前記信号発信回路２１で異常報知信号を室内側に送信させるようになっている。
【００３３】
なお、室内側には、異常報知信号を受信する受信部３１、受信部３１からの出力で駆動される警報器、例えば警報ブザー３２が設けられている。
【００３４】
さらに、前記ＭＣＵ１１は、前記赤外線センサ７が侵入者の存在を検知すると、前記ＣＣＤ素子９から得られた画像データを画像メモリ１４に記録させるようになっている。
【００３５】
この画像メモリ１４を配線基板５から外し、室内などの画像再生機４０を使用すれば、記録された画像データの再生が可能である。
【００３６】
勿論、この画像メモリ１４が画像データの記録を開始すると同時に、画像データを送信して前記室内の画像再生装置４０で画像データを記録しながら再生させることも可能である。
【００３７】
前記電源回路６０は、例えば１００Ｖの商用電源を必要に応じて整流、降圧したものであり、制御部１０を始め各部に電力供給するとともに、ＬＥＤ３の駆動電源としても機能する。
【００３８】
上記構成の照明器具においては、電源回路６０の電源がオンになっている状態で、使用者がリモコン５１により「防犯モード」を選択して送信操作すれば、その操作信号を受信部５０を介して受け取ったＭＣＵ１１により防犯モードに設定される。逆に、使用者がリモコン５１により「通常モード」を選択して送信操作すれば、その操作信号を受信部５０を介して受け取ったＭＣＵ１１により通常モードに設定される。
（１）通常モード
昼間のような外光照度が大きい状況では、外光センサ６がＯＦＦのままで、ＬＥＤ駆動回路１２も駆動されず、ＬＥＤ３は消灯状態である。
【００３９】
夕方以降のように外光照度が小さくなると、外光センサ６がＯＮするので、そのＯＮ信号を受けたＭＣＵ１１によりＬＥＤ駆動回路１２が駆動されて、ＬＥＤ３が点灯される。
【００４０】
この通常モードでは、赤外線センサ７の検知動作やＣＣＤ素子９の撮影動作や電子ブサー２２等の動作が停止されており、外光センサ６がＯＮになるとＬＥＤ３が点灯する通常の常夜灯として使用される。
（２）防犯モード
昼間のような外光照度が大きい状況では、外光センサ６がＯＦＦのままで、ＬＥＤ駆動回路１２も駆動されず、ＬＥＤ３は消灯状態である。
【００４１】
夕方以降のように外光照度が小さくなると、外光センサ６がＯＮするので、そのＯＮ信号を受けたＭＣＵ１１によりＬＥＤ駆動回路１２が駆動されて、ＬＥＤ３が点灯される。
【００４２】
所定エリア内に侵入者があると、前記赤外線センサ７がこれを検知して検知信号を出力する。この検知信号を受けたＭＣＵ１１が前記ＬＥＤ駆動回路１２を介して前記ＬＥＤ３を点滅動作させる一方、前記ブザー駆動回路１３を介して電子ブザー２２を発音させる。
【００４３】
前記ＬＥＤ３の点滅により、侵入者の存在などの異常事態の発生を知ることができ、さらに、ここでは電子ブザー２２が発音するので、ＬＥＤ３の点滅動作に気がつかなかった場合でも、前記異常事態の発生を確実に知ることができる。
【００４４】
さらに、前記赤外線センサ７が検知信号を出力すると、ＭＣＵ１１が信号発信部２１を駆動するから、この信号発信部２１は異常報知信号を室内に送信する。送信された信号が、離れた場所、例えば室内の受信部３１で受信されると、室内報知機、例えば電子ブザー２２が作動するから、前記異常事態の発生を一層確実に知ることができる。
【００４５】
つまり、この照明器具では、玄関などの既設の照明器具用ソケットにねじ込んで接続し、防犯モードに設定しておけば、通常の灯火装置として使用しながら侵入者の存在などの異常事態を直ぐに検知できる防犯灯としても機能が発揮され、使い勝手がよい。
【００４６】
また、前記赤外線センサ７の検知信号の出力に伴って前記ＭＣＵ１１は、ＣＣＤ素子９から得られた画像データの前記画像メモリ１４への記録を開始させる。
【００４７】
この画像メモリ１４を前記配線基板５から取り外し、室内の画像再生機４０を使用して画像メモリ１４内に記録された画像データを再生できるから、前記侵入者の存在状況などを再生映像から確認できる。
【００４８】
つぎに、上記構成の照明器具における異常報知処理の流れを図３のフローチャートを参照して説明する。なお、以下の説明ならびに図面では、ステップをＳと略記する。
【００４９】
図３において、Ｓ１０１では、電源回路がＯＮしているか否か換言すれば商用電源等から電力供給がなされているか否かを判断し、電源回路がＯＮしていれば（Ｓ１０１の判定がＹＥＳ）、Ｓ１０２に進み、電源回路がＯＮしていなければ（Ｓ１０１の判定がＮＯ）、Ｓ１０１に戻って電源回路がＯＮになるまで待つ。
【００５０】
Ｓ１０２では、外光センサ６がＯＮしたか否かを判断し、外光センサ６がＯＮすれば（Ｓ１０２の判定がＹＥＳ）、Ｓ１０３では、ＬＥＤ３をＯＮ（点灯）してＳ１０５に進み、外光センサ６がＯＮしなければ（Ｓ１０２の判定がＮＯ）、Ｓ１０４では、ＬＥＤ３をＯＦＦ（消灯）してＳ１０５に進む。
【００５１】
Ｓ１０５では、防犯モードか否かを判断し、防犯モードであれば（Ｓ１０５の判定がＹＥＳ）、Ｓ１０６に進み、防犯モードでなければ（Ｓ１０５の判定がＮＯ）、そのまま終了する。
【００５２】
Ｓ１０６では、赤外線センサ７がＯＮしたか否かを判断し、赤外線センサ７がＯＮしなければ（Ｓ１０６の判定がＮＯ）、そのまま終了する。赤外線センサ７がＯＮすれば（Ｓ１０６の判定がＹＥＳ）、Ｓ１０７では、侵入者存在の報知動作としてＬＥＤ３が点滅動作し、Ｓ１０８では、電子ブザー２２がＯＮして警報音を発生し、Ｓ１０９では、ＣＣＤ素子９の撮影画像データの画像メモリ１４への記録を開始し、Ｓ１１０では、信号発信部２１により異常報知信号を室内に送信して室内ブザー３２を発音させて終了する。
【００５３】
図４はこの発明の他の実施形態を示すものであり、廊下等に設置されるナイトライト１００に本発明を適用したものである。
【００５４】
図４において、ナイトライト１００のハウジング部２００内には、ＬＥＤ３１、人体検知センサ７１、ブザー２２１、配線基板５１、回路素子８１、図示しない外光センサやＣＣＤ素子、制御部、電源回路等、図１の照明器具と同様の構成要素が収容されている。人体検知センサ７１は赤外線感知窓７１１を介して侵入者などを検知し、外光センサは光感知窓６１を介して外光照度を検知する。なお、９１はコンセントに差し込むためのプラグである。
【００５５】
図５はこの発明のさらに他の実施形態を示すものであり、廊下等に設置されるナイトライト１０１に本発明を適用したものである。
【００５６】
図５において、ナイトライト１０１のハウジング部２０１内には、ＬＥＤ３２、人体検知センサ７２、ブザー２２２、図示しない配線基板、回路素子、外光センサ、ＣＣＤ素子、制御部、電源回路等、図１の照明器具と同様の構成要素が収容されている。人体検知センサ７２は赤外線感知窓７２１を介して侵入者などを検知し、外光センサは光感知窓６２を介して外光照度を検知する。なお、９２はコンセントに差し込むためのプラグである。
【００５７】
図４及び図５のナイトライトにおける異常報知動作は、図１の照明器具と同様であるので、詳細な説明は省略する。
【００５８】
なお、上記実施形態では、赤外線センサ７の検知信号に応じて、ＬＥＤ３の点滅、電子ブザー２１の発音動作、信号発信部２１による異常報知信号の送信動作を並行して行わせるものとして説明したが、異常報知手段としては、ＬＥＤ３、信号発信部２１、電子ブザー２２のうちの少なくとも一つあればよい。勿論、上記したもの以外の異常報知手段の使用も可能である。
【００５９】
また、ＣＣＤ素子９による撮影画像データを画像メモリ１４へ記録するものとしたが、ＣＣＤ素子９や画像メモリ１４は必ずしも存在しなくて良い。
【図面の簡単な説明】
【００６０】
【図１】この発明の一実施形態に係る照明器具を示す一部破断側面図である。
【図２】同じく照明器具の電気的構成を示すブロック図である。
【図３】同じく照明器具おける異常報知処理の流れを示すフローチャートである。
【図４】この発明の他の実施形態に係る照明器具を一部を切り欠いて示す側面図である。
【図５】この発明のさらに他の実施形態に係る照明器具を一部を切り欠いて示す側面図である。
【符号の説明】
【００６１】
３、３１、３２・・・・・・・・ＬＥＤ（光源、異常報知手段）
７、７１、７２・・・・・・・・人体検知センサ（赤外線センサ）
９・・・・・・・・ＣＣＤ素子
１０・・・・・・・制御手段
１４・・・・・・・画像メモリ
２１・・・・・・・異常報知信号発信部（異常報知手段）
２２、２２１、２２２・・・・・・・ブザー（発音体、異常報知手段）
５２・・・・・・・モード切替手段
【図１】
2006113752.tif 000003
【図２】
2006113752.tif 000004
【図３】
2006113752.tif 000005
【図４】
2006113752.tif 000006
【図５】
2006113752.tif 000007